(57)【要約】【課題】容器着脱形の生ゴミ処理機において、小型の装置で多量の生ゴミを処理することができ、しかも生ゴミの投入、処理後のゴミの取出しが容易で、更に、装置内部が汚れる問題も生じない生ゴミ処理機を提供する。【解決手段】内部に回転カッタ４を備えたゴミ容器３と、上部の開口２を介してゴミ容器３を収容・取出し可能に収容するハウジング１と、ハウジング１内に備えられゴミ容器３を支持して回転させる容器回転駆動装置２４と、ゴミ容器３の回転カッタ４に接続されて回転カッタ４を回転させるカッタ回転駆動装置１０と、ハウジング１内に収容されるゴミ容器３と離間してハウジング１に固定したマイクロ波照射装置２６と、を備えた生ゴミ処理機であって、ハウジング１の開口２に、生ゴミ投入ガイド３０を設置・離反可能に設ける。【選択図】図１
2005230639.tif 000002
【特許請求の範囲】
【請求項１】
内部に回転カッタを備えたゴミ容器と、上部の開口を介して前記ゴミ容器を収容・取出し可能に収容するハウジングと、該ハウジング内に備えられ前記ゴミ容器を支持して回転させる容器回転駆動装置と、ゴミ容器の回転カッタに接続されて該回転カッタを回転させるカッタ回転駆動装置と、前記ハウジング内に収容されるゴミ容器と離間してハウジングに固定したマイクロ波照射装置と、を備えた生ゴミ処理機であって、前記ハウジングの開口に、生ゴミ投入ガイドを設置・離反可能に設けたことを特徴とする生ゴミ処理機。
【請求項２】
前記生ゴミ投入ガイドが、上部の口径が大きく下部の口径が前記ゴミ容器の上部開口より小さい漏斗状部と、ハウジングの上端に載置されるフランジ部とを備えたことを特徴とする請求項１に記載の生ゴミ処理機。
【請求項３】
前記ゴミ容器の下部位置に取出蓋により開閉が可能な取出口を設け、前記ハウジングの下部位置に前記取出口からの乾燥ゴミを受けて外部に取出すための取出室を設けたことを特徴とする請求項１又は２に記載の生ゴミ処理機。
【発明の詳細な説明】
【技術分野】
【０００１】
本発明は、小型の装置で多量の生ゴミを処理することができ、しかも生ゴミの投入、処理後のゴミの取出しが容易で、更に、装置内部が汚れる問題を生じない生ゴミ処理機に関するものである。
【背景技術】
【０００２】
従来より、電子レンジの機能を利用して生ゴミを処理するようにした生ゴミ処理機が提案されている。
【０００３】
この種の生ゴミ処理機には、容器着脱形と、容器固定形とがある。
【０００４】
容器着脱形の生ゴミ処理機としては、内部に回転カッタを備えたゴミ容器に生ゴミを投入した後、ゴミ容器をハウジング内部に挿入載置し、ハウジング内部に備えた回転駆動装置により前記ゴミ容器を回転させると共に前記回転カッタに接続される回転駆動装置により回転カッタを回転させ、この状態でハウジングに備えたマイクロ波照射装置によりマイクロ波を照射することによって生ゴミを乾燥処理し、乾燥処理した乾燥ゴミはゴミ容器ごと外部に取出して廃棄している（例えば、特許文献１参照）。
【０００５】
一方、容器固定形の生ゴミ処理機としては、ハウジングの内部に生ゴミの処理容器を一体に備え、該処理容器の内底部には下部に備えた回転駆動装置により回転される回転カッタとスクレーパとを備え、前記処理容器に生ゴミを投入して回転カッタとスクレーパを回転させながら処理容器の外部に固定したマイクロ波照射装置によりマイクロ波を照射することによって処理容器内部の生ゴミを乾燥処理し、乾燥処理した乾燥ゴミは処理容器から掻き出すようにして外部に取出し廃棄している（例えば、特許文献２参照）。
【特許文献１】特許第３４４８８０７号公報
【特許文献２】特許第３４２４００５号公報
【発明の開示】
【発明が解決しようとする課題】
【０００６】
前記特許文献１に示される容器着脱形の生ゴミ処理機は、例えば持ち運びが容易な５ｋｇ（約１０ｌ）以下程度の比較的少量の生ゴミを処理するのに適した一般家庭向き生ゴミ処理機であり、この生ゴミ処理機はゴミ容器がハウジングに着脱可能であるために、ゴミ容器への生ゴミの投入、生ゴミを投入したゴミ容器の運搬、乾燥処理後の乾燥ゴミをゴミ袋等に投入する作業が比較的容易である。
【０００７】
しかし、家庭等から排出される生ゴミの量は常に一定ではなく常時変動する。従って、例えば５ｋｇを超える量の生ゴミが生じた場合には、１回で処理することはできず、そのために２回に分けて処理する必要がある。即ち、まず所定量の生ゴミをゴミ容器に投入して１回目の処理を行い、処理した後の乾燥ゴミはゴミ容器ごと取出してゴミ袋等に投入し、その後、再びゴミ容器に残りの生ゴミを投入しそのゴミ容器をハウジングにセットして処理する必要があり、よって取扱いが非常に面倒であるという問題を有していた。
【０００８】
また、この問題点に対処する方法としては、１回目の生ゴミの処理を行うと、約５ｋｇの生ゴミが乾燥処理によって１ｋｇ前後に減量（２０％に減量）し容量も小さくなるので、この乾燥ゴミの上に残りの生ゴミを投入して処理することもできる。
【０００９】
しかし、特許文献１の生ゴミ処理機は、ハウジングに対するゴミ容器の着脱を容易にするために、ゴミ容器とハウジングの開口との間には隙間を設ける必要があり、このために、ハウジングにゴミ容器をセットしたまま生ゴミを投入しようとすると、生ゴミが前記隙間から落下してハウジング内部を汚し、このために悪臭が発生する問題がある。更に、前記ハウジングの底部には、ゴミ容器を回転可能に受けるためのテーブル等が設けてあるため、このテーブルの下側に生ゴミが入り込んだ場合には、この生ゴミをハウジングの上部からは除去することができず、よって生ゴミ処理機を分解して掃除する必要がある。
【００１０】
従って、特許文献１のような容器着脱形の生ゴミ処理機では、ゴミ容器に生ゴミを投入する際は、必ずゴミ容器をハウジングから取出した状態で外部にて行う必要があり、このために取扱い操作が面倒で使い勝手に問題を有していた。
【００１１】
一方、前記特許文献２に示される容器固定形の生ゴミ処理機は、一般に１０ｋｇ前後或いはそれ以上の比較的大量の生ゴミを処理するための業務用等に利用される生ゴミ処理機であり、生ゴミの処理量が多いために処理容器はハウジングに固定されている。
【００１２】
しかし、上記したように処理容器がハウジングに固定され、且つマイクロ波照射装置もハウジングに固定されて処理容器の１箇所のみからマイクロ照射するようになっているために、処理容器の一部が高温になって生ゴミが焼付く問題がある。即ち、スクレーパによって処理容器内部の生ゴミを攪拌しても、スクレーパと処理容器との間には隙間があるために、生ゴミは前記高温部に焼付いてしまう。前記処理容器のマイクロ波照射装置による照射部分は、マイクロ波照射装置によるマイクロ波透過効率を高めることと、高熱対策のために、テフロン（ポリフッ化エチレン製繊維：登録商標名）製としているが、テフロンは高価である問題があり、更に、前記したように焼付きが生じると生ゴミが高温で分解することによって有害物質を発生することが知られている。
【００１３】
本発明は、上記した問題点に鑑み、容器着脱形の生ゴミ処理機において、小型の装置で多量の生ゴミを処理することができ、しかも生ゴミの投入、処理後のゴミの取出しが容易で、更に、装置内部が汚れる問題も生じない生ゴミ処理機を提供することを目的としてなしたものである。
【課題を解決するための手段】
【００１４】
請求項１に記載の発明は、内部に回転カッタを備えたゴミ容器と、上部の開口を介して前記ゴミ容器を収容・取出し可能に収容するハウジングと、該ハウジング内に備えられ前記ゴミ容器を支持して回転させる容器回転駆動装置と、ゴミ容器の回転カッタに接続されて該回転カッタを回転させるカッタ回転駆動装置と、前記ハウジング内に収容されるゴミ容器と離間してハウジングに固定したマイクロ波照射装置と、を備えた生ゴミ処理機であって、前記ハウジングの開口に、生ゴミ投入ガイドを設置・離反可能に設けたことを特徴とする生ゴミ処理機、に係るものである。
【００１５】
請求項２に記載の発明は、前記生ゴミ投入ガイドが、上部の口径が大きく下部の口径が前記ゴミ容器の上部開口より小さい漏斗状部と、ハウジングの上端に載置されるフランジ部とを備えたことを特徴とする請求項１に記載の生ゴミ処理機、に係るものである。
【００１６】
請求項３に記載の発明は、前記ゴミ容器の下部位置に取出蓋により開閉が可能な取出口を設け、前記ハウジングの下部位置に前記取出口からの乾燥ゴミを受けて外部に取出すための取出室を設けたことを特徴とする請求項１又は２に記載の生ゴミ処理機、に係るものである。
【発明の効果】
【００１７】
本発明の生ゴミ処理機によれば、ハウジングの開口部に生ゴミ投入ガイドを設置・離反可能に設けているので、生ゴミ投入ガイドによってハウジングの上端とゴミ容器との間の間隔を覆うことができ、よってゴミ容器への生ゴミの投入時に、ハウジング内部に生ゴミが落下してハウジング内部を汚す問題を確実に防止することができる効果がある。
【００１８】
従って、ゴミ容器をハウジング内に設置したままで、生ゴミを追加し処理することができるので、生ゴミ投入のための操作が簡便になると共に、追加処理が可能になることによって小型の装置で多量の生ゴミが処理できる効果を有する。
【００１９】
更に、ゴミ容器の下部位置に取出蓋により開閉が可能な取出口を設け、ハウジングの下部位置に前記取出口からの乾燥ゴミを受けて外部に取出すための取出室を備えたので、下部の取出口から乾燥ゴミを取出すことにより、大量の生ゴミを順次ゴミ容器に投入して乾燥処理することができ、しかもハウジングからゴミ容器を全く取出すことなしに作業できるため、取扱い操作が簡便であると共に、小型の装置で多量の生ゴミが処理できる効果がある。
【発明を実施するための最良の形態】
【００２０】
以下、本発明の実施の形態を添付図面を参照して説明する。
【００２１】
図１は本発明の生ゴミ処理機の一例を示す縦断側面図であり、図中１は上部に開口２を有して有底の凹状空間を形成するハウジングであり、該ハウジング１は外壁１ａと、該外壁１ａの内部に間隔を有して一体に構成された内壁１ｂとを有しており、上記外壁１ａと内壁１ｂの上端は上端板１ｃにより閉塞されている。
【００２２】
３は、前記ハウジング１の凹状空間の内底部上に収容・取出し可能に設置されるゴミ容器である。該ゴミ容器３は、内側底面の中心に回転カッタ４を備えている。この回転カッタ４は、図２に示す如く、刃物５のボス部材６がゴミ容器３の内底部に設けたカッタ受け部材７により回転可能に支持されている。更に、前記カッタ受け部材７とボス部材６の中心には係合穴８が形成されていると共に、ボス部材６には前記係合穴８に連通したスプライン９が形成されている。
【００２３】
一方、ハウジング１の外壁１ａの底部には、図１に示す如く、カッタ回転駆動装置１０が設けてあり、該カッタ回転駆動装置１０の鉛直の駆動軸１１に対して前記係合穴８が嵌合し、更に駆動軸１１の先端に前記スプライン９が係合し得るようになっている。従って、スプライン９に駆動軸１１が係合された状態でカッタ回転駆動装置１０を駆動すると、回転カッタ４が回転するようになっている。また、前記ゴミ容器３の下面には、前記駆動軸１１を係合穴８に導くための擂鉢状の案内傾斜面１２を有する案内部材１３が設けられている。
【００２４】
また、前記駆動軸１１の外周には、下端が軸受１４により水平回転可能に支持された管軸１５を同心に設けており、該管軸１５の上端には前記内壁１ｂの底面上を回転できる係止リング１６が固定されている。該係止リング１６の平坦な上面における３個所の等間隔位置には、図３、図４に示す係止溝１７が設けられている。各係止溝１７は、係止リング１６の回転方向Ａ後方に下降傾斜する傾斜面１８と、該傾斜面１８の下端から後方に延びる水平部１９と、該水平部１９の上方に位置するように回転方向Ａ前方へ突出した係止突部２０とを備えている。一方、前記ゴミ容器３の下面の周方向３個所の等間隔位置には、図１、図２、図４に示す如く、前記係止リング１６の回転方向Ａの後方に突出する係合突部２１を有して前記係止溝１７に係合し得る略Ｌ字状の係合爪２２を固定している。そして前記外壁１ａの底板上には、前記管軸１５をホイール或いはプーリと、チェーン或いはベルト等による動力伝達部材２３を介して回転させるようにした容器回転駆動装置２４が設けてあり、前記ゴミ容器３下面の係合爪２２を前記係止リング１６の係止溝１７に係合させた状態で容器回転駆動装置２４を駆動すると、前記ゴミ容器３は回転されるようになっている。図２中、２５はゴミ容器３を吊り下げて保持するための取手である。
【００２５】
前記ハウジング１の内壁１ｂにおけるゴミ容器３の周壁に対向する位置には、ゴミ容器３と離間して配置するようにしたマイクロ波照射装置２６が設けられている。マイクロ波照射装置２６はゴミ容器３の周方向１箇所に対応するように設けてもよく、或いは図１に示すように２個或いはそれ以上の数を等間隔に設けてもよい。
【００２６】
更に、ハウジング１における上端の開口２の近傍位置には、内壁１ｂの内部と外壁１ａの外部とに亘って排気ファン２７が設けられている。また、前記外壁１ａにおける排気ファン２７が設置された位置の下部には空気吸引口２８が形成してあり、一方、前記内壁１ｂの上部における前記排気ファン２７が設置された位置に対向する反対側の位置には連通孔２９が形成されている。
【００２７】
前記ハウジング１の上端の開口２には、生ゴミの投入を案内するための生ゴミ投入ガイド３０を設置・離反可能に設ける。生ゴミ投入ガイド３０は、上部の口径が大きく下部の口径が前記ゴミ容器３の上部開口３ａより小さくなるよう形成された漏斗状部３１を備えていると共に、大きな口径の上部外周にはハウジング１の上端に載置するようにしたフランジ部３２を備えている。前記生ゴミ投入ガイド３０は、フランジ部３２をハウジング１の上端に載置した際に、漏斗状部３１がゴミ容器３の上部開口３ａとの間に所要の間隔３３を有し、且つ漏斗状部３１の下端が所要の長さでゴミ容器３の内部に挿入されるように形成されている。
【００２８】
また、前記ハウジング１の上端には、ヒンジ３４を中心に回動して前記生ゴミ投入ガイド３０を覆うようにして開口２を開閉できる開閉蓋３５を設けている。この開閉蓋３５はヒンジ３４を備えて回動により開口２の開閉を行う方式以外に、手で着脱できる着脱式になっていてもよい。
【００２９】
次に、上記した実施の形態の作動を説明する。
【００３０】
本発明の生ゴミ処理機により生ゴミを乾燥処理するには、図６に示すように開閉蓋３５を開けてハウジング１内部にゴミ容器３を挿入してセットする。このとき、ゴミ容器３をハウジング１内に挿入すると、ゴミ容器３の下面に備えた図１、図２に示す案内部材１３の案内傾斜面１２が駆動軸１１の上端に当接することによりゴミ容器３の位置が調芯され、ゴミ容器３のカッタ受け部材７及びボス部材６に形成された係合穴８が駆動軸１１に嵌合する。このときゴミ容器３下面の係合爪２２は係止リング１６の上面の平坦な面に載置される。
【００３１】
この状態で、図４に示す如く、ゴミ容器３が回転駆動される方向Ａとは反対の方向Ｂにゴミ容器３を回転させると、係合爪２２が係止溝１７の傾斜面１８に沿って滑降し、係合爪２２は図５に示す如く係止溝１７に係合される。このとき前記駆動軸１１は回転カッタ４の係合穴８に挿入されてスプライン９に係合する。
【００３２】
上記により、容器回転駆動装置２４によるゴミ容器３の回転と、カッタ回転駆動装置１０による回転カッタ４の回転とが可能になる。
【００３３】
続いて、図７に示す如くハウジング１の上端にフランジ部３２が載置されるように生ゴミ投入ガイド３０をセットし、続いて図８に示すように前記生ゴミ投入ガイド３０を介して前記ゴミ容器３の内部に生ゴミを投入する。このとき、生ゴミの投入量は、通常図９に示すように最大でもゴミ容器３の空間容積の約６〜７割を目安に投入することができる。一方、生ゴミの量が多い場合には、生ゴミ投入ガイド３０の漏斗状部３１内まで至るように生ゴミを多く投入してもよい。このように多く投入しても、回転カッタ４が回転されると、生ゴミは切断により嵩が減少されて沈み込むようになるので、これに伴い漏斗状部３１に位置した生ゴミはゴミ容器３内部に順次自動的に供給されるようになる。従って、１回の処理操作で多量の生ゴミを処理できるようになる。
【００３４】
前記生ゴミ投入ガイド３０は、フランジ部３２と漏斗状部３１によりハウジング１の上端とゴミ容器３との間の間隔を覆うように構成されているので、ハウジング１内部に生ゴミが落下してハウジング１内部を汚す問題を確実に防止することができる。
【００３５】
続いて図１に実線で示すように開閉蓋３５を閉め、容器回転駆動装置２４によりゴミ容器３の回転を行うと共に、カッタ回転駆動装置１０により回転カッタ４の回転を行い、同時にマイクロ波照射装置２６を駆動して生ゴミの乾燥処理を行う。このとき、前記ゴミ容器３内の回転カッタ４の回転をゴミ容器３の回転速度よりも高速で回転させることにより、回転カッタ４は生ゴミの切断を行うと共に、ゴミ容器３内部の生ゴミを攪拌する機能を有する。前記回転カッタ４の回転方向は、ゴミ容器３の回転方向と同方向であっても或いは逆方向であってもよい。また、前記したようにゴミ容器３下面の係合爪２２の係合突部２１が係止溝１７の係止突部２０と係合しているので、容器回転駆動装置２４を駆動してゴミ容器３を回転させたときにゴミ容器３が浮き上がる問題は確実に防止できる。更に、前記生ゴミ投入ガイド３０は漏斗状部３１がゴミ容器３の上部開口３ａに対し間隔３３を有してゴミ容器３内部に挿入されているため、生ゴミ投入ガイド３０を設置した状態でゴミ容器３の回転を行っても問題を生じることはない。
【００３６】
更に、前記乾燥処理時には排気ファン２７を駆動する。排気ファン２７を駆動すると、空気吸引口２８からハウジング１の外壁１ａ内部に外気が吸引され、この空気は、内壁１ｂ上部の前記排気ファン２７と対向する反対側の位置に設けた連通孔２９から内壁１ｂ内部に吸引される。そして内壁１ｂ内に吸引された空気は、前記生ゴミ投入ガイド３０とゴミ容器３の上部開口３ａとの間の間隔３３を通ってゴミ容器３内部に導かれ、ゴミ容器３内部の生ゴミから生じる水分（蒸気）を伴って前記排気ファン２７に導かれて排気される。一方、前記内壁１ｂ内に吸引させれた空気の一部は、内壁１ｂとゴミ容器３の間を通って前記係止リング１６近傍の熱を奪って冷却した後、前記排気ファン２７に導かれる。
【００３７】
上記した乾燥処理を所定時間行うと、生ゴミは効果的に乾燥処理され、図９に二点鎖線で示すように２０％程度に減量されて乾燥ゴミとなる。
【００３８】
また、引き続いて処理する生ゴミがある場合には、生ゴミ処理機の運転を止め、再び図８に示すように開閉蓋３５を開けてゴミ容器３内の乾燥ゴミ上に新たな生ゴミを投入し、開閉蓋３５を閉めて前記と同様に所定時間の乾燥処理を行う。
【００３９】
生ゴミの乾燥処理が終了すると、図１０に示すように開閉蓋３５を開けてハウジング１から生ゴミ投入ガイド３０を取外し、更に図１１に示すようにゴミ容器３を取出して、乾燥ゴミをゴミ袋等に投入する。
【００４０】
生ゴミ投入ガイド３０は、前記したように処理済の乾燥ゴミを廃棄する際以外には常時設置したままとしてもよいが、ゴミ容器３への生ゴミの投入時は生ゴミ投入ガイド３０を設置し、乾燥処理時には生ゴミ投入ガイド３０を取外して生ゴミ投入ガイド３０が無い状態で運転すようにしてもよい。
【００４１】
図１２は本発明の生ゴミ処理機の他の例を示す縦断側面図であり、図１と同様の構成において、前記ゴミ容器３の下部位置（図１２の例では底板に近い側板位置）に、取出蓋３６にて開閉できるようにした取出口３７を設けている。また、前記ハウジング１の下部位置には、前記取出口３７からの乾燥ゴミを受けて外部に取出すための取出室５０を形成しており、該取出室５０の端部には、乾燥ゴミをハウジング１の外部に取出すための開閉可能な蓋５１を設けている。
【００４２】
図１３、図１４は前記取出蓋３６の一例を示したもので、この取出蓋３６は取出口３７の開閉ができるようにピンヒンジ３８によってハウジング１に取付けられており、取出蓋３６には係止レバー３９がピン４０を中心に回動可能に取付けてあり、また、ハウジング１の外面には係止レバー３９の先端が係合する係止ストッパ４１を固定している。この構成では、図１４のように係止レバー３９の先端を係止ストッパ４１に係合した状態では取出蓋３６は取出口３７を閉塞した状態を維持し、一方、係止レバー３９を図１３の矢印Ｘで示すように回動させると、係止レバー３９の先端が係止ストッパ４１から外れて、取出蓋３６はピンヒンジ３８を中心に回動させて取出口３７を開口できるようになっている。
【００４３】
図１５、図１６は前記取出蓋３６の他の例を示すもので、この取出蓋３６は、ガイド４２に沿って昇降することにより取出口３７開閉できるようになっており、該取出蓋３６の左右両側位置に係止ストッパ４３を設け、前記ハウジング１には回動によって先端部が前記係止ストッパ４３に係合するようにした２個の係止レバー４４をピン４５により回動可能に取付けている。４６は取出蓋３６の落下を防止する係止部材である。この構成では、図１５のように係止レバー４４の先端を係止ストッパ４３に契合した状態では取出蓋３６は取出口３７を閉塞した状態を維持し、一方、係止レバー４４を図１６の矢印Ｘで示すように回動させると、係止レバー４４の先端が係止ストッパ４３から外れることにより取出蓋３６は自由になるので、取出蓋３６をガイド４２に沿って上昇させることにより取出口３７を開口することができる。図中４７は取出口３７を開口した状態に取出蓋３６を保持するためのストッパである。
【００４４】
また、図１２に示す如く、前記管軸１５に検出ストライカ４８を固定し、且つハウジング１の固定側にセンサ４９を設けており、該センサ４９の検出により、前記容器回転駆動装置２４によってゴミ容器３の回転を停止する際に、ゴミ容器３に備えた取出口３７の位置が取出室５０の位置で停止するように前記容器回転駆動装置２４の回転が制御されるようにしている。
【００４５】
前記図１２〜図１６に示す形態によれば、ゴミ容器３の下部位置に取出蓋３６により開閉が可能な取出口３７を設け、ハウジング１の下部位置に前記取出口３７からの乾燥ゴミを受けて外部に取出すための取出室５０を備え、且つゴミ容器３の回転停止時に、ゴミ容器３の取出口３７が取出室５０の位置で停止されるように容器回転駆動装置２４が制御されているので、運転を停止した後は、蓋５１を開けて手操作により取出蓋３６を開けることによりゴミ容器３の乾燥ゴミを取出口３７から取出室５０に取出すことができる。このとき、必要に応じて回転カッタ４を回転するとゴミ容器３の乾燥ゴミを効果的に取出室５０に排出することもできる。乾燥ゴミの取出しが終了すると、取出口３７を取出蓋３６で閉塞し、再びゴミ容器３に生ゴミを投入して乾燥処理を行う。
【００４６】
上記したように、ゴミ容器３の乾燥ゴミを下部の取出口３７から取出室５０に取出せるようにしたので、大量の生ゴミが発生しても順次ゴミ容器３に投入して乾燥処理を行うことができ、よって小型の装置で多量の生ゴミの処理が可能になると共に、ハウジング１からゴミ容器３を全く取出すことなしに作業を行えるので、取扱い操作も良好となる。
【００４７】
なお、本発明の生ゴミ処理機は上記した実施の形態に限定されるものではなく、本発明の要旨を逸脱しない範囲内において種々変更を加え得ることは勿論である。
【図面の簡単な説明】
【００４８】
【図１】本発明の生ゴミ処理機の一例を示す縦断側面図である。
【図２】ゴミ容器の一例を示す縦断面図である。
【図３】図１のＩＩＩ−ＩＩＩ方向矢視図である。
【図４】係止リングの係止溝とゴミ容器下面に設けた係合爪の形状を示す側面図である。
【図５】図４の係止溝と係合爪が係合した状態を示す側面図である。
【図６】開閉蓋を開けてハウジング内部にゴミ容器を挿入した状態を示す斜視図である。
【図７】ハウジング上部に生ゴミ投入ガイドを設置する状態を示す斜視図である。
【図８】生ゴミ投入ガイドを介してゴミ容器に生ゴミを投入する状態を示す斜視図である。
【図９】ゴミ容器内部に生ゴミが投入された状態を示す縦断側面図である。
【図１０】乾燥ゴミを取出すために生ゴミ投入ガイドを取外している状態を示す斜視図である。
【図１１】ハウジングからゴミ容器を取出して乾燥ゴミを廃棄している状態を示す斜視図である。
【図１２】本発明の生ゴミ処理機の他の例を示す縦断側面図である。
【図１３】図１２の取出蓋の一例を示す正面図である。
【図１４】図１３のＸＩＶ−ＸＩＶ方向矢視図である。
【図１５】図１２の取出蓋の他の例を示す取出口を閉塞した状態の正面図である。
【図１６】図１５の取出蓋が取出口を開口した状態の正面図である。
【符号の説明】
【００４９】
１  ハウジング
２  開口
３  ゴミ容器
３ａ        上部開口
４  回転カッタ
１０  カッタ回転駆動装置
２４  容器回転駆動装置
２６  マイクロ波照射装置
３０  生ゴミ投入ガイド
３１  漏斗状部
３２  フランジ部
３３  間隔
３６  取出蓋
３７  取出口
５０  取出室
【図１】
2005230639.tif 000003
【図２】
2005230639.tif 000004
【図３】
2005230639.tif 000005
【図４】
2005230639.tif 000006
【図５】
2005230639.tif 000007
【図６】
2005230639.tif 000008
【図７】
2005230639.tif 000009
【図８】
2005230639.tif 000010
【図９】
2005230639.tif 000011
【図１０】
2005230639.tif 000012
【図１１】
2005230639.tif 000013
【図１２】
2005230639.tif 000014
【図１３】
2005230639.tif 000015
【図１４】
2005230639.tif 000016
【図１５】
2005230639.tif 000017
【図１６】
2005230639.tif 000018